(57)【要約】【課題】飲食物による健康管理、ダイエット管理をしようとする人に対して、簡単に、迅速に、カロリーを知らせるためのカロリー情報処理システムの提供。【解決手段】まずクライアントは食する飲食物の写真をカメラ付き携帯電話で撮影する。次にその写真を待機するカロリー情報処理装置に送信する。次に該装置に入信された写真を画面に映出し目視確認しその料理の名前を知る。次にその名前をキーワードとして該装置に入力し該装置のデーターベースの中から検索しその飲食物のカロリーを知る。最後に知得したそのカロリーをクライアントの有する該携帯電話へ返信する。この５つの工程からなるカロリー情報処理システム。【選択図】図１
2009187508.tif 000002
【特許請求の範囲】
【請求項１】
次の（Ａ）から（Ｅ）に記載する各工程からなることを特徴とするカロリー情報処理システム。
（Ａ）まずクライアントがカメラ付き携帯電話で飲食物の写真を撮影する該飲食物の写真撮影工程、
（Ｂ）次に、前記（Ａ）により得られたカメラ付き携帯電話上の写真を別途配置されているカロリー情報処理装置に送信する該携帯電話からの写真の送信工程、
（Ｃ）次に、前記（Ｂ）により受信して得られたカロリー情報処理装置上の飲食物写真を目視認識し、その名前を確認する飲食物写真の名前確認工程、
（Ｄ）次に、前記（Ｃ）により確認された飲食物の名前をカロリー情報処理装置に入力し、既に入力されているデーターベースから検索照合し、その飲食物のカロリーを知得するカロリー知得工程、
（Ｅ）最後に、前記（Ｄ）により知得した飲食物のカロリーを前記クライアントのカメラ付き携帯電話へ返信し知らせるクライアントへの返信工程。
【発明の詳細な説明】
【技術分野】
【０００１】本発明は、食する飲食物のカロリーが知りたいクライアントがカメラ付き携帯電話にて該飲食物を撮影し、これを別途配置されている既に飲食物のカロリー情報が入力されているカロリー情報処理装置へ送信し、その飲食物のカロリーを探し出し、得られた情報をクライアントに送信して知らせることをシステム化したカロリー情報処理システムに関する。
クライアントの日々のカロリー管理が迅速にして、便利に行えることで日々の食生活管理を助勢し、カロリー過多にもとづく各種病気の予防情報を提供することが出来る。
更には、特に女性が求める美容上のダイエットの管理も助勢することができる。
【背景技術】
【０００２】人の食生活は飲食物の摂取の仕方で、健康に左右されることは言うまでもないが、近年はこの取り過ぎで男性に多く見られる種々の病気（例えば成人病、メタボリックシンドローム、生活習慣病等）にかかる人が多い。このような人とか、特にダイエットをして美しくなろうとする女性は、何とかして食する飲食物によるカロリーの摂取を下げようと望み、種々の手段で試みている。しかしながら、人間には食欲と言う本性もあることと、自分自身で律して、食する飲食物のカロリーを調べ管理することは勿論、これを日々続行して行くことは、相当な覚悟がないとできない。現実この事を実行している人は稀れであるのが実情のようである。【０００３】  一般に飲食物のカロリー情報は、その飲食物の名前をパソコン又は携帯電話を介して、インターネットにつなぐことで知得することはできる。しかしながら、既存の手段では、まず飲食物の名前（あるいは成分名）を自分自身で調べ、それを知得しインターネットにつないで知り得るという方法である。従って、名前を自分で調べること事態面倒で時間の掛かることであり、ましてやその名前が不明である場合は勿論、間違った、或いは明白でない場合には、正確なカロリー情報を知る事はできない。
食生活による健康管理とか、ダイエットを確実に行うには、飲食物によるカロリー管理が簡単で、迅速にでき、しかもそれガ永続して記録に残る状態で行なはれることで初めて達成される。本発明は、新たなシステムを見出す事でこれを達成したものである。
【発明の開示】
【発明が解決しようとする課題】
【０００４】  しかし、前記のような状況の中で食する又は希望する飲食物のカロリーを数値で簡単に、且つ迅速に知ることができ、しかもそれが自分専用のカロリー取得記録カルテのような形で、永続的に数値でもって管理もできるようになれば、飲食物によるカロリー管理も積極的に行うであろうことが期待されている。
本発明は、このような背景のもとで、カロリー摂取を下げようと切望する人々に対して、自身が食したい飲食物の摂取カロリーの管理が比較的簡単に、且つ永続して自己管理もできるように、新たに創作された一つのシステムである。
【課題を解決するための手段】
【０００５】本発明は、次の（Ａ）から（Ｅ）までの５つの工程が順次迅速に行えるようにカメラ付き携帯電話とカロリー情報処理装置との間でネット化して実行できるようにしたカロリー情報処理システムの提供によって達成される。【０００６】その最初の工程の（Ａ）は、まずクライアントがカメラ付き携帯電話で飲食物の写真を撮影する工程である。
ここで対象となる飲食物、つまりカロリーを知ろうとする飲食物の種類は、一般に食する又は飲むものであれば特定するものではい。そして、それが生物であっても、加工（一次、二次、三次）された状態のものであってもかまわない。【０００７】そして、この飲食物は写真を撮ることを必須としている。これは、例えば名前で送信することは、クライアントにとって自分自身でその名前を調べて知ってからの送信になる。これでは、飲食物の種類によってはわざわざ調べる時間が必要になり、場合によっては名前を間違って付す危険もある。これが写真であればそのままの撮影と言う手段であり、その場で間違いなく即座にできる。【０００８】尚、例えば特に多種類の食物を使って料理されているものが撮影されて、それがカロリー情報処理装置に送信された場合に、その飲食物の名前の特定が困難になることも考えられるので、このような可能性がある場合も想定して、クライアント側で名前を知り得ているならば、その料理の名前（総称名）なり、成分名なりも付けて撮影し送信するのは望ましいことである。【０００９】また、対象となる飲食物に食する量を付して撮影してもよいし、更に名前も付けて撮影してもよい。この量を付ければ、トータルカロリーの量をより正確に知ることもできる。この量は通常の皿で一人前とか、その半分といった程度の記載でもよい。【００１０】尚、対象の飲食物をビデヲカメラで撮影して、これをパソコンに取り込んで待機するカロリー情報処理装置に送信することもできるが、これではその場で直ちに送信できないので時間がかかることと、この設備は不特定多数が所有していないことで好ましい手段ではない。【００１１】次に（Ｂ）の工程に入る。この工程は前記（Ａ）により得られた前記携帯電話上の飲食物の写真を別途配置されているカロリー情報処理装置に送信する工程である。この送信操作は、該処理装置が独自に有するアドレスを呼び出し該携帯電話から送信し終了する。【００１２】次に（Ｃ）の工程に入る。本工程は前記（Ｂ）により受信したカロリー情報処理装置上の飲食物写真を目視認識し、飲食物が何であるかを名前（言葉）で特定する工程である。この特定に際しては、可能な限り大きな画像に変換操作してから行うのがより間違いなく解読できる。【００１３】次に（Ｄ）の工程に入る。本工程は、前記（Ｃ）により言葉で特定された、飲食物の名前をキーワードとしてカロリー情報処理装置に入力し、既に入力されているデータベースと照合し検索して、その飲食物のカロリーを知得する工程である。
カロリー情報処理装置内には、既知の飲食物の名前とそのカロリー、更には量との関係、その他カロリーと健康に関する等あらゆる情報がソフトとして入力され、これがデータベースとなっている。勿論、以後知られた飲食物とカロリーの情報は、逐次該データベースの中に入力され、可能な限り多数の情報が蓄積されるようになっている。従って、本処理装置はクライアントが求める飲食物とカロリーの情報を、簡単にして、迅速に答え、しかもそれを永続して管理してもらえる、クライアント専用のネットワークを形成する、専用システム機器といえる。【００１４】次に最後の（Ｅ）工程に入る。本工程は、前記（Ｄ）による知得した飲食物のカロリーをクライアントが有するカメラ付き携帯電話へ返信し結果を知らせる工程である。【００１５】尚、成人の場合、一般に１日に必要な飲食物からの摂取カロリーは、年齢により差があるが、平均して男子２２００ｋｃｌ、女子２０００ｋｃｌとされている。本発明者らのこれまでの経験から、この既知の取得カロリーでは、肥り過ぎになり易いことが判った。そこで本発明者らは、特に肥り過ぎによる種々の病気の発生の防止とダイエット効果を無理なく、リバンドもすることなく徐々に実行していく、１日当たりの摂取カロリーをどの位にするのが適正であるかについて、経験も入れながら見出すべき努力をしてきた。その結果、年齢に差はなく成人男子１８００ｋｃｌ、女子１５００ｋｃｌ程度とするのが良いとの認識に至った。そこで、本発明を利用するクライアントに対しては、この情報も別途カロリー情報処理装置に入力し、必要に応じてクライアントに提供又はクライアント自信が引用して知ることもできるようにもなっている。
従って、この新しく設けたカロリー取得量と対比し、貴方の本日の取得カロリーは、取り過ぎとの注意勧告とか、まだ少ないので、後幾らのカロリー補充をしてもよく、このためには、例えば、この飲食物を幾らぐらいは食べても良いとのコメント情報も同時に又は別途に送信し知らせることも可能にしている。【００１６】またカロリー情報処理装置には、１人、１人にホームページが割り当てられ、その人専用に作られたパスワードを入力することで、過去の蓄積データも見ることができるようにもなされている。【００１７】また、健康管理に関わる一般的な情報の提供、その人独自の情報、例えばその人の基礎代謝量の情報も知らせることができる。これらの情報提供ができるのも、カロリーに係わる自分専用のプログが新たに開設されることに他ならない。
【発明の効果】
【００１８】本発明は次のような効果を奏する。【００１９】カメラ付き携帯電話と言う手軽で、どこでも携帯でき、しかもほぼ不特定多数の人が所有する通信機器で以って、食する飲食物の写真を撮影し、その場で直ちに専用のカロリー情報処理装置へ送信することで、その飲食物のカロリーを該携帯電話を介して容易に知ることができる。【００２０】自分が食する飲食物の摂取カロリーが、容易に、経日的に、永続して知ることがでる。自分独自のカロリーカルテのような形で蓄積されて行く。これは、自分で飲食物による健康管理、ダイエット管理をしっかりと実行していこうと言う強い動機付けにもなる。【００２１】その他に、クライアントが送信する飲食物は名前ではなく、写真そのものであるので、その名前を調べる時間の必要もなく、その場で直ちに準備が終了する。またその飲食物の名前を間違うというような心配もない。更には名前では、その飲食物の量的なものが不明であり、食する量も調べて送信する必要がある。しかし、これが写真であればその量が幾ら位であるかも判断できる。
【発明を実施するための最良の形態】
【００２２】次に、本発明を図面を参照しながら詳述する。
その図面を図１に示す。この人は、体重８９ｋｇ、体脂肪率３１％の４０歳の女性がカロリー情報処理装置を有する業者に４品の料理を食する前に、その場でその写真を撮り、前記する各工程経て、この女性に結果を返信し知らせた場合の実例である。尚これに要した時間は約５分であった。【００２３】まずこの女性は、通常の器に盛られた（名前なしで）４種類の料理（３、４、５及び６で示す。）をカメラ付き携帯電話１で写真撮影した。そして、その場で業者の有するカロリー情報処理装置２（パソコン）に送信（矢印７）し、この料理のカロリーを知らせてもらうように依頼してきた。依頼を受けた業者は、直ちにその処理に着手した。まずパソコン２を開き、受信した料理を画面いっぱいに拡大して、各器に盛られた４種類の料理を目視した。【００２４】その結果、これは１人前の量が器に盛られていて、その種類は“ほうれん草のお浸し３ａ”（３に対応）、“豚どんぶり４ａ（４に対応）”、“卵と大根及び昆布からなるおでん５ａ”（５に対応）及び“（大根のけんが添えられている）鯛の刺身６ａ”（６に対応）である４品であることが目視で確認できた（一応念のために依頼の女性に確認したところ、間違いはなかった。）。次に目視確認した４品の名前をパソコンに入力し、既に入力されているパソコンソフトの中から、これに相当する料理の検索を開始した。その結果、ほうれん草のお浸し３ａは７０ｋｃｌ、豚どんぶり４ａは４２２ｋｃｌ、卵と大根及び昆布が盛られているおでん５ａは１１７ｋｃｌ、鯛の刺身６ａは４４８ｋｃｌであることが検索でき確認できた。この結果を合計摂取量１０５７ｋｃｌであることも付して、直ちに該携帯電話１に返信（矢印８）し知らせて本例を終了した【００２５】尚、この返信の際に次のようなコメントも送った。減量またはダイエットを希望するならば、女性の１日に摂取カロリーは１５００ｋｃｌとするのがよく、それからすると貴女には、後４４３ｋｃｌの摂取ができる。これを補充できる料理の一例を挙げると、焼肉ライスバーガー、デニーズ、ふじりんごのミルクプリンサンデーの各１品である。
ここで９はパソコン２の操作キーボードである。
【図面の簡単な説明】
【００２６】
【図１】  本発明の実施形態の一例を示す模式図である。
【符号の説明】
１    クライアント（女姓）が有するカメラ付き携帯電話
２    業者が所有するカロリー情報処理用のパソコン
３ａ  送信された、ほうれん草のお浸しの拡大写真
４ａ  送信された、豚どんぶりの拡大写真
５ａ  送信された、卵と大根及び昆布からなるおでんの拡大写真
６ａ  送信された、鯛の刺身の拡大写真
【図１】
2009187508.tif 000003